(57)【要約】【課題】光路内にエタロン等の分光素子やフィルター等や駆動系を配置するためのスペースを充分に確保でき、バックフォーカスが長く、全長の長い内視鏡対物レンズに適用可能な対物光学系を提供する。【解決手段】対物光学系において、物体側から順に、屈折力が負正の並びとなる２つのレンズＬ１１、Ｌ１２を有する第一群Ｇ１と、絞りＳと、正の屈折力を持つ第二群Ｇ２とで構成され、次の条件式を満足する。３．０＜ｆｂ／ｆＬ但し、ｆｂは空気中での対物光学系のバックフォーカス、ｆＬは対物光学系全系の焦点距離である。【選択図】図１
2008224842.tif 000002
【特許請求の範囲】
【請求項１】
物体側から順に、屈折力が負正の並びとなる２つのレンズを有する第一群と、絞りと、正の屈折力を持つ第二群とで構成され、
次の条件式(1)を満足することを特徴とする対物光学系。
３．０＜ｆｂ／ｆＬ                                      ・・・(1)
但し、ｆｂは空気中での対物光学系のバックフォーカス、ｆＬは対物光学系全系の焦点距離である。
【請求項２】
物体側から順に、屈折力が負正の並びとなる２つのレンズを有する第一群と、絞りと、正レンズと負レンズとの接合レンズと正レンズを有し全体で正の屈折力を持つ第二群とで構成され、
次の条件式(2)を満足することを特徴とする対物光学系。
１．５＜ｄ１２／ｆＬ＜４                                ・・・(2)
但し、ｄ１２は第一群における最も物体側のレンズと二番目に物体側のレンズとの間隔、ｆＬは対物光学系全系の焦点距離である。
【請求項３】
次の条件式(1)を満足することを特徴とする請求項２に記載の対物光学系。
３．０＜ｆｂ／ｆＬ                                      ・・・(1)
但し、ｆｂは空気中での対物光学系のバックフォーカス、ｆＬは対物光学系全系の焦点距離である。
【請求項４】
次の条件式(3)、(4)、(5)、(6)のうちの少なくとも一つを満足することを特徴とする請求項１又は２に記載の対物光学系。
１０＜ＬＴＬ／ｆＬ                                      ・・・(3)
８＜Σｄ／ｆＬ                                          ・・・(4)
０．３＜ｄｆ／ｄｒ＜１．４                              ・・・(5)
１．２＜Ｄ１２／ｆＬ＜３                                ・・・(6)
但し、ＬＴＬは対物光学系の全長、ｆＬは対物光学系全系の焦点距離、Σｄは対物光学系における最も物体側のレンズ面から最も像側のレンズ面までの距離、ｄｆは第一群における最も像側のレンズの像側面と絞りとの間隔、ｄｒは絞りと第二群における最も物体側のレンズの物体側面との間隔、Ｄ１２は第一群と第二群との間隔である。
【請求項５】
次の条件式(7)、(8)を満足することを特徴とする請求項１又は２に記載の対物光学系。
−０．１２＜ｆＬ／ｆ１＜０．０６                        ・・・(7)
２．５＜ｆ２／ｆＬ＜５．５                              ・・・(8)
但し、ｆＬは対物光学系全系の焦点距離、ｆ１は第一群の焦点距離、ｆ２は第二群の焦点距離である。
【請求項６】
前記第一群が負の屈折力又は弱い正の屈折力を持つことを特徴とする請求項１〜５のいずれかに記載の対物光学系。
【請求項７】
物体側から順に、負の屈折力を持つ第一群と、絞りと、正の屈折力を持つ第二群とで構成され、
次の条件式(1')を満足することを特徴とする対物光学系。
４．０＜ｆｂ／ｆＬ                                      ・・・(1')
但し、ｆｂは空気中での対物光学系のバックフォーカス、ｆＬは対物光学系全系の焦点距離である。
【請求項８】
光路内にエタロンを含む内視鏡対物光学系であることを特徴とする請求項１〜７のいずれかに記載の対物光学系。
【発明の詳細な説明】
【技術分野】
【０００１】
本発明は、対物光学系に関し、特に、エタロンなどの分光素子を備えた分光内視鏡を想定した対物光学系に関するものである。
【背景技術】
【０００２】
従来の内視鏡対物光学系としては、例えば、次の特許文献１〜４に記載のものがある。
【特許文献１】特開平１０−２６０３４７号公報
【特許文献２】特開平１０−２６０３４８号公報
【特許文献３】特開２０００−８９１０５号公報
【特許文献４】特開２００５−１４８５０８号公報
【発明の開示】
【発明が解決しようとする課題】
【０００３】
ところで、現在、本件出願人は、ファブリペロー・エタロンである分光素子を用いた分光内視鏡を想定した対物光学系について検討している。
ファブリペロー・エタロンである分光素子を用いて内視鏡を構成すれば、体内における焦点距離の異なる観察部位から所望の蛍光波長を簡単な操作で観察することができる。
しかるに、分光内視鏡に適用できる対物光学系とするには、分光素子であるファブリペロー・エタロンを光路内に配置するために、バックフォーカスを長く確保する必要がある。また、エタロンの駆動するための駆動系や基板等を入れるスペースを確保するために、対物光学系の全長も長くする必要があり、対物光学系における最も物体側のレンズ面から最も像側のレンズ面までの距離が長くなる。また、対物光学系の光路内に励起光カットフィルター等のフィルター類を数枚配置する必要がある。
【０００４】
しかし、特許文献１〜４に例示したような従来の内視鏡対物光学系においては、光路内にエタロンを入れるスペースを充分に確保することができない。また、フィルターを入れるスペースも少なく、さらには、駆動系を配置することもできない。
即ち、従来の内視鏡対物光学系には、分光内視鏡に適用できるような対物光学系は存在していなかった。
【０００５】
本発明は、従来技術のこのような問題点に鑑みてなされたものであり、光路内にエタロン等の分光素子やフィルター等や駆動系を配置するためのスペースを充分に確保でき、バックフォーカスが長く、全長の長い内視鏡対物レンズに適用可能な対物光学系を提供することを目的とする。
【課題を解決するための手段】
【０００６】
上記目的を達成するため、本発明による対物光学系は、物体側から順に、屈折力が負正の並びとなる２つのレンズを有する第一群と、絞りと、正の屈折力を持つ第二群とで構成され、次の条件式(1)を満足することを特徴としている。
３．０＜ｆｂ／ｆＬ                                      ・・・(1)
但し、ｆｂは空気中での対物光学系のバックフォーカス、ｆＬは対物光学系全系の焦点距離である。
【０００７】
また、本発明による対物光学系は、物体側から順に、屈折力が負正の並びとなる２つのレンズを有する第一群と、絞りと、正レンズと負レンズとの接合レンズと正レンズを有し全体で正の屈折力を持つ第二群とで構成され、次の条件式(2)を満足することを特徴としている。
１．５＜ｄ１２／ｆＬ＜４                                ・・・(2)
但し、ｄ１２は第一群における最も物体側のレンズと二番目に物体側のレンズとの間隔、ｆＬは対物光学系全系の焦点距離である。
【０００８】
また、本発明の対物光学系においては、次の条件式(1)を満足するのが好ましい。
３．０＜ｆｂ／ｆＬ                                      ・・・(1)
但し、ｆｂは空気中での対物光学系のバックフォーカス、ｆＬは対物光学系全系の焦点距離である。
【０００９】
また、本発明の対物光学系においては、次の条件式(3)、(4)、(5)、(6)のうちの少なくとも一つを満足するのが好ましい。
１０＜ＬＴＬ／ｆＬ                                      ・・・(3)
８＜Σｄ／ｆＬ                                          ・・・(4)
０．３＜ｄｆ／ｄｒ＜１．４                              ・・・(5)
１．２＜Ｄ１２／ｆＬ＜３                                ・・・(6)
但し、ＬＴＬは対物光学系の全長、ｆＬは対物光学系全系の焦点距離、Σｄは対物光学系における最も物体側のレンズ面から最も像側のレンズ面までの距離、ｄｆは第一群における最も像側のレンズの像側面と絞りとの間隔、ｄｒは絞りと第二群における最も物体側のレンズの物体側面との間隔、Ｄ１２は第一群と第二群との間隔である。
【００１０】
また、本発明の対物光学系においては、次の条件式(7)、(8)を満足するのが好ましい。
−０．１２＜ｆＬ／ｆ１＜０．０６                        ・・・(7)
２．５＜ｆ２／ｆＬ＜５．５                              ・・・(8)
但し、ｆＬは対物光学系全系の焦点距離、ｆ１は第一群の焦点距離、ｆ２は第二群の焦点距離である。
【００１１】
また、本発明の対物光学系においては、前記第一群が負の屈折力又は弱い正の屈折力を持つのが好ましい。
【００１２】
また、本発明による対物光学系は、物体側から順に、負の屈折力を持つ第一群と、絞りと、正の屈折力を持つ第二群とで構成され、
次の条件式(1')を満足することを特徴としている。
４．０＜ｆｂ／ｆＬ                                      ・・・(1')
但し、ｆｂは空気中での対物光学系のバックフォーカス、ｆＬは対物光学系全系の焦点距離である。
【００１３】
また、本発明の対物光学系においては、光路内にエタロンを含む内視鏡対物光学系であるのが好ましい。
【発明の効果】
【００１４】
本発明の対物光学系によれば、光路内にエタロン等の分光素子やフィルター等や駆動系を配置するためのスペースを充分に確保でき、バックフォーカスが長く、全長の長い内視鏡対物レンズに適用可能な対物光学系が得られる。
【発明を実施するための最良の形態】
【００１５】
実施例の説明に先立ち、本発明の作用効果について説明する。
本発明の対物光学系は、物体側から順に、屈折力が負正の並びとなる２つのレンズを有する第一群と、絞りと、正の屈折力を持つ第二群とで構成され、次の条件式(1)を満足する。
３．０＜ｆｂ／ｆＬ                                      ・・・(1)
但し、ｆｂは空気中での対物光学系のバックフォーカス、ｆＬは対物光学系全系の焦点距離である。
上記条件式(1)は、バックフォーカスを確保するための条件式である。
条件式(1)を満足すれば、光路内にエタロンや励起光カットフィルター等を配置するスペースを確保することができる。また、入射角度がほぼアフォーカルになるためのレンズ最終面から撮像面までの間隔を確保することができる。
【００１６】
また、本発明による対物光学系は、物体側から順に、屈折力が負正の並びとなる２つのレンズを有する第一群と、絞りと、正レンズと負レンズとの接合レンズと正レンズを有し全体で正の屈折力を持つ第二群とで構成され、次の条件式(2)を満足する。
１．５＜ｄ１２／ｆＬ＜４                                ・・・(2)
但し、ｄ１２は第一群における最も物体側のレンズと二番目に物体側のレンズとの間隔、ｆＬは対物光学系全系の焦点距離である。
上記条件式(2)は、第一群における最も物体側のレンズと二番目に物体側のレンズとの間隔を確保するための条件式である。
条件式(2)を満足すれば、励起光カットフィルターやレーザ波長などの特定波長をカットするためのフィルター等を配置するスペースを確保することができる。また、第一群における最も物体側のレンズと二番目に物体側のレンズとの間もアフォーカルにし易くなる。
【００１７】
また、本発明の対物光学系においては、次の条件式(3)、(4)、(5)、(6)のうちの少なくとも一つを満足するのが好ましい。
１０＜ＬＴＬ／ｆＬ                                      ・・・(3)
８＜Σｄ／ｆＬ                                          ・・・(4)
０．３＜ｄｆ／ｄｒ＜１．４                              ・・・(5)
１．２＜Ｄ１２／ｆＬ＜３                                ・・・(6)
但し、ＬＴＬは対物光学系の全長、ｆＬは対物光学系全系の焦点距離、Σｄは対物光学系における最も物体側のレンズ面から最も像側のレンズ面までの距離、ｄｆは第一群における最も像側のレンズの像側面と絞りとの間隔、ｄｒは絞りと第二群における最も物体側のレンズの物体側面との間隔、Ｄ１２は第一群と第二群との間隔である。
【００１８】
上記条件式(3)、(4)は、対物光学系の全長及び、対物光学系における最も物体側のレンズ面から最も像側のレンズ面までの距離に関する条件式である。
光路内にエタロンを制御するための駆動系を配置するために、対物光学系の全長及び、対物光学系における最も物体側のレンズ面から最も像側のレンズ面までの距離を長く確保する必要がある。
条件式(3)、(4)を満足すれば、光路内にエタロンを制御するための駆動系を配置するためのスペースを確保することができる。
【００１９】
上記条件式(5)は、対物光学系における絞りとその前後のレンズとの間隔に関し、レンズ径を適切な大きさに保つための条件式である。
条件式(5)の上限値を上回って、第一群から絞りまでの間隔が大きくなると第一群の径が大きくなり過ぎてしまう。一方、条件式(5)の下限値を下回って、絞りから第二群までの間隔が大きくなると第二群の径が大きくなり過ぎてしまう。
【００２０】
上記条件式(6)は、第一群と第二群との間隔を確保するための条件式である。
対物光学系の全長を長くするためには、第一群と第二群との間隔をある程度長くする必要がある。条件式(6)を満足すれば、第一群と第二群との間隔を確保することができ、対物光学系を構成する各レンズの肉厚を厚くしなくて済み、像面湾曲を適正に補正することができる。
【００２１】
また、本発明の対物光学系においては、次の条件式(7)、(8)を満足するのが好ましい。
−０．１２＜ｆＬ／ｆ１＜０．０６                        ・・・(7)
２．５＜ｆ２／ｆＬ＜５．５                              ・・・(8)
但し、ｆＬは対物光学系全系の焦点距離、ｆ１は第一群の焦点距離、ｆ２は第二群の焦点距離である。
上記条件式(7)は、第一群の屈折力に関する条件式である。
第一群の屈折力が大きくなると最も物体側のレンズの光線高が大きくなる。このため、第一群の屈折力は極力小さくすることが望まれる。条件式(7)を満足すれば、第一群の屈折力を極力小さくすることができる。
【００２２】
また、本発明の対物光学系においては、第一群が負の屈折力又は弱い正の屈折力を持つのが好ましい。
上記条件式(7)を満足するように、第一群が負の屈折力又は弱い正の屈折力を持ち、第二群が正の屈折力を持つことによって、バックフォーカスがとり易くなる。
【００２３】
上記条件式(8)は、第二群の屈折力に関する条件式である。
条件式(8)の上限値を上回ると、第二群の屈折力が小さくなり過ぎ、球面収差補正が不足してアンダーになってしまう。一方、条件式(8)の下限値を下回ると、第二群の屈折力が大きくなり過ぎ、像面湾曲が悪化し、コマ収差補正しきれず曲がりが大きくなってしまう。
【００２４】
実施例１
以下、本発明の対物光学系の実施例を図面を用いて説明する。
図１は本発明の実施例１にかかる対物光学系の光学構成を示す光軸に沿う断面図、図２は図１の対物光学系の球面収差、非点収差、歪曲収差、倍率色収差を示すグラフである。
実施例１の対物光学系は、物体側から順に、第一群Ｇ１と、開口絞りＳと、第二群Ｇ２とで構成されている。
第一群Ｇ１は、物体側が平面で像側が凹面の平凹レンズＬ１１と、物体側に凹面を向けた正メニスカスレンズＬ１２を有して構成されており、全体で負の屈折力を持っている。なお、Ｆ１は赤外光又は励起光等所定の波長をカットするためのフィルタである。
第二群Ｇ２は、物体側に凹面を向けた正メニスカスレンズＬ２１と物体側に凹面を向けた負メニスカスレンズＬ２２との接合レンズと、物体側が凸面で像側が平面の平凸レンズＬ２３を有して構成されており、全体で正の屈折力を持っている。なお、Ｅはエタロン、Ｆ２は赤外光又は励起光等所定の波長をカットするためのフィルタ、ＣＧ１，ＣＧ２はカバーガラスである。また、エタロンＥは、２枚のフィルタで構成したものを便宜上１枚の光学要素として示してある。
【００２５】
次に、実施例１の対物光学系を構成する光学部材の数値データを示す。なお、数値データ中、Ｓ1、Ｓ2、…は対物光学系を構成する光学部材の面番号、ｒ1、ｒ2、…は対物光学系を構成する光学部材の曲率半径、ｄ1、ｄ2、…は面間隔、ｎd1、ｎd2、…対物光学系を構成する光学部材のｄ線での屈折率、νd1、νd2、…は対物光学系を構成する光学部材のｄ線でのアッベ数、ＦＮＯ．はＦナンバー、２ωは全画角である。なお、これらの記号は以下の各実施例において共通である。
【００２６】
数値データ１（実施例１）
物点距離：１５．００ｍｍ
焦点距離：１．００ｍｍ
ＦＮＯ．：５．０３
２ω：１２３．８°
Ｓ1         ｒ1＝∞           ｄ1＝ 0.534       ｎd1＝ 1.883     νd1＝40.78
Ｓ2         ｒ2＝ 1.0771      ｄ2＝ 1.603
Ｓ3         ｒ3＝∞           ｄ3＝ 0.96        ｎd3＝ 1.52287   νd3＝59.89
Ｓ4         ｒ4＝∞           ｄ4＝ 0.5
Ｓ5         ｒ5＝-5.0365      ｄ5＝ 1.153       ｎd5＝ 1.51742   νd5＝52.43
Ｓ6         ｒ6＝-1.9783      ｄ6＝ 0.7
Ｓ7（絞り） ｒ7＝∞           ｄ7＝ 1.274
Ｓ8         ｒ8＝-6.4027      ｄ8＝ 1.473       ｎd8＝ 1.7725    νd8＝49.6
Ｓ9         ｒ9＝-1.6377      ｄ9＝ 0.427       ｎd9＝ 1.92286   νd9＝18.9
Ｓ10        ｒ10＝-4.4491     ｄ10＝ 0.128
Ｓ11        ｒ11＝ 4.1866     ｄ11＝ 0.854      ｎd11＝ 1.834    νd11＝37.16
Ｓ12        ｒ12＝∞          ｄ12＝ 0.033
Ｓ13        ｒ13＝∞          ｄ13＝ 1.068      ｎd13＝ 1.52287  νd13＝59.89
Ｓ14        ｒ14＝∞          ｄ14＝ 0.534
Ｓ15        ｒ15＝∞          ｄ15＝ 2.135      ｎd15＝ 1.54886  νd15＝67.84
Ｓ16        ｒ16＝∞          ｄ16＝ 1.163
Ｓ17        ｒ17＝∞          ｄ17＝ 0.747      ｎd17＝ 1.51633  νd17＝64.14
Ｓ18        ｒ18＝∞          ｄ18＝ 0.427      ｎd18＝ 1.52287  νd18＝59.89
Ｓ19        ｒ19＝∞
【００２７】
実施例２
図３は本発明の実施例２にかかる対物光学系の光学構成を示す光軸に沿う断面図、図４は図３の対物光学系の球面収差、非点収差、歪曲収差、倍率色収差を示すグラフである。
実施例２の対物光学系は、物体側から順に、第一群Ｇ１と、開口絞りＳと、第二群Ｇ２とで構成されている。
第一群Ｇ１は、物体側が平面で像側が凹面の平凹レンズＬ１１と、物体側に凹面を向けた正メニスカスレンズＬ１２を有して構成されており、全体で負の屈折力を持っている。
なお、Ｆ１は赤外光又は励起光等所定の波長をカットするためのフィルタである。
第二群Ｇ２は、物体側に凸面を向けた負メニスカスレンズＬ２１’と物体側に凸面を向けた正メニスカスレンズＬ２２’との接合レンズと、物体側が凸面で像側が平面の平凸レンズＬ２３を有して構成されており、全体で正の屈折力を持っている。なお、Ｅはエタロン、Ｆ２はなお、Ｆ１は赤外光又は励起光等所定の波長をカットするためのフィルタ、ＣＧ１、ＣＧ２はカバーガラスである。また、エタロンＥは、２枚のフィルタで構成したものを便宜上１枚の光学要素として示してある。
【００２８】
次に、実施例２の対物光学系を構成する光学部材の数値データを示す。
数値データ２（実施例２）
物点距離：１５．２０ｍｍ
焦点距離：１．００ｍｍ
ＦＮＯ．：５．６５
２ω：１２９．８°
Ｓ1          ｒ1＝∞           ｄ1＝ 0.542      ｎd1＝ 1.88814   νd1＝40.78
Ｓ2          ｒ2＝ 1.1226      ｄ2＝ 1.219
Ｓ3          ｒ3＝∞           ｄ3＝ 1.084      ｎd3＝ 1.52498   νd3＝59.89
Ｓ4          ｒ4＝∞           ｄ4＝ 1.023
Ｓ5          ｒ5＝-5.845       ｄ5＝ 1.95       ｎd5＝ 1.51977   νd5＝52.43
Ｓ6          ｒ6＝-2.3042      ｄ6＝ 0.715
Ｓ7（絞り）  ｒ7＝∞           ｄ7＝ 1.61 
Ｓ8          ｒ8＝ 5.1091      ｄ8＝ 0.433      ｎd8＝ 1.93429   νd8＝18.9
Ｓ9          ｒ9＝ 1.5361      ｄ9＝ 1.04       ｎd9＝ 1.77621   νd9＝49.6
Ｓ10         ｒ10＝ 5.1885     ｄ10＝ 0.13
Ｓ11         ｒ11＝ 2.9042     ｄ11＝ 0.867     ｎd11＝ 1.83932  νd11＝37.16
Ｓ12         ｒ12＝∞          ｄ12＝ 0.636
Ｓ13         ｒ13＝∞          ｄ13＝ 0.299     ｎd13＝ 1.52498  νd13＝59.89
Ｓ14         ｒ14＝∞          ｄ14＝ 0.266
Ｓ15         ｒ15＝∞          ｄ15＝ 2.167     ｎd15＝ 1.55079  νd15＝67.84
Ｓ16         ｒ16＝∞          ｄ16＝ 0.71
Ｓ17         ｒ17＝∞          ｄ17＝ 0.758     ｎd17＝ 1.51825  νd17＝64.14
Ｓ18         ｒ18＝∞          ｄ18＝ 0.434     ｎd18＝ 1.52498  νd18＝59.89
Ｓ19         ｒ19＝∞
【００２９】
実施例３
図５は本発明の実施例３にかかる対物光学系の光学構成を示す光軸に沿う断面図、図６は図５の対物光学系の球面収差、非点収差、歪曲収差、倍率色収差を示すグラフである。
実施例３の対物光学系は、物体側から順に、第一群Ｇ１と、開口絞りＳと、第二群Ｇ２とで構成されている。
第一群Ｇ１は、物体側が平面で像側が凹面の平凹レンズＬ１１と、物体側に凹面を向けた正メニスカスレンズＬ１２を有して構成されており、全体で負の屈折力を持っている。なお、Ｆ１は赤外光又は励起光等所定の波長をカットするためのフィルタである。
第二群Ｇ２は、物体側に凹面を向けた正メニスカスレンズＬ２１と物体側に凹面を向けた負メニスカスレンズＬ２２との接合レンズと、物体側が凸面で像側が平面の平凸レンズＬ２３を有して構成されており、全体で正の屈折力を持っている。なお、図Ｅはエタロン、Ｆ２は赤外光又は励起光等所定の波長をカットするためのフィルタ、ＣＧ１，ＣＧ２はカバーガラスである。また、エタロンＥは、２枚のフィルタで構成したものを便宜上１枚の光学要素として示してある。
【００３０】
次に、実施例３の対物光学系を構成する光学部材の数値データを示す。
数値データ３（実施例３）
物点距離：１５．３ｍｍ
焦点距離：１．００１ｍｍ
ＦＮＯ．：３．５６
２ω：１３０．４°
Ｓ1          ｒ1＝∞          ｄ1＝ 0.547       ｎd1＝ 1.883     νd1＝40.78
Ｓ2          ｒ2＝ 1.1488     ｄ2＝ 1.967
Ｓ3          ｒ3＝∞          ｄ3＝ 1.094       ｎd3＝ 1.52287   νd3＝59.89
Ｓ4          ｒ4＝∞          ｄ4＝ 0.458
Ｓ5          ｒ5＝-6.0644     ｄ5＝ 1.175       ｎd5＝ 1.51742   νd5＝52.43
Ｓ6          ｒ6＝-2.128      ｄ6＝ 0.805
Ｓ7（絞り）  ｒ7＝∞          ｄ7＝ 1.204
Ｓ8          ｒ8＝-6.6898     ｄ8＝ 1.313       ｎd8＝ 1.7725    νd8＝49.6
Ｓ9          ｒ9＝-1.6377     ｄ9＝ 0.438       ｎd9＝ 1.92286   νd9＝18.9
Ｓ10         ｒ10＝-4.686     ｄ10＝ 0.131
Ｓ11         ｒ11＝ 4.1786    ｄ11＝ 0.875      ｎd11＝ 1.834    νd11＝37.16
Ｓ12         ｒ12＝∞         ｄ12＝ 0.609
Ｓ13         ｒ13＝∞         ｄ13＝ 1.1        ｎd13＝ 1.52287  νd13＝59.89
Ｓ14         ｒ14＝∞         ｄ14＝ 0.225
Ｓ15         ｒ15＝∞         ｄ15＝ 2.18       ｎd15＝ 1.54886  νd15＝67.84
Ｓ16         ｒ16＝∞         ｄ16＝ 0.741
Ｓ17         ｒ17＝∞         ｄ17＝ 0.75       ｎd17＝ 1.51633  νd17＝64.14
Ｓ18         ｒ18＝∞         ｄ18＝ 0.438      ｎd18＝ 1.52287  νd18＝59.89
Ｓ19         ｒ19＝∞
【００３１】
実施例４
図７は本発明の実施例４にかかる対物光学系の光学構成を示す光軸に沿う断面図、図８は図７の対物光学系の球面収差、非点収差、歪曲収差、倍率色収差を示すグラフである。
実施例４の対物光学系は、物体側から順に、第一群Ｇ１と、開口絞りＳと、第二群Ｇ２とで構成されている。
第一群Ｇ１は、物体側が平面で像側が凹面の平凹レンズＬ１１と、物体側に凹面を向けた負メニスカスレンズＬ１２’を有して構成されており、全体で負の屈折力を持っている。
なお、Ｆ１は赤外光又は励起光等所定の波長をカットするためのフィルタである。
第二群Ｇ２は、両凸レンズＬ２１”と物体側に凹面を向けた負メニスカスレンズＬ２２との接合レンズと、両凸レンズＬ２３’を有して構成されており、全体で正の屈折力を持っている。なお、Ｅはエタロン、Ｆ２は赤外光又は励起光等所定の波長をカットするためのフィルタ、ＣＧ１，ＣＧ２はカバーガラスである。また、エタロンＥは、２枚のフィルタで構成したものを便宜上１枚の光学要素として示してある。
【００３２】
次に、実施例４の対物光学系を構成する光学部材の数値データを示す。
数値データ４（実施例４）
物点距離：１５．８０ｍｍ
焦点距離：１．００ｍｍ
ＦＮＯ．：３．５３
２ω：１３０．２°
Ｓ1         ｒ1＝∞          ｄ1＝ 0.339       ｎd1＝ 1.883     νd1＝40.78
Ｓ2         ｒ2＝ 1.322      ｄ2＝ 0.864
Ｓ3         ｒ3＝∞          ｄ3＝ 1.128       ｎd3＝ 1.52287   νd3＝59.89
Ｓ4         ｒ4＝∞          ｄ4＝ 0.484
Ｓ5         ｒ5＝-2.6542     ｄ5＝ 1.01        ｎd5＝ 1.51742   νd5＝52.43
Ｓ6         ｒ6＝-3.3443     ｄ6＝ 1.369
Ｓ7（絞り） ｒ7＝∞          ｄ7＝ 1.023
Ｓ8         ｒ8＝ 7.6736     ｄ8＝ 1.702       ｎd8＝ 1.7725    νd8＝49.6
Ｓ9         ｒ9＝-1.702      ｄ9＝ 0.339       ｎd9＝ 1.92286   νd9＝18.9
Ｓ10        ｒ10＝-5.564     ｄ10＝ 0.023
Ｓ11        ｒ11＝ 7.5107    ｄ11＝ 0.692      ｎd11＝ 1.834    νd11＝37.16
Ｓ12        ｒ12＝-17.1324   ｄ12＝ 0.677
Ｓ13        ｒ13＝∞         ｄ13＝ 1.128      ｎd13＝ 1.52287  νd13＝59.89
Ｓ14        ｒ14＝∞         ｄ14＝ 0.253
Ｓ15        ｒ15＝∞         ｄ15＝ 2.258      ｎd15＝ 1.54886  νd15＝67.84
Ｓ16        ｒ16＝∞         ｄ16＝ 0.79
Ｓ17        ｒ17＝∞         ｄ17＝ 0.79       ｎd17＝ 1.51633  νd17＝64.14
Ｓ18        ｒ18＝∞         ｄ18＝ 0.452      ｎd18＝ 1.52287  νd18＝59.89
Ｓ19        ｒ19＝∞
【００３３】
実施例５
図９は本発明の実施例５にかかる対物光学系の光学構成を示す光軸に沿う断面図、図１０は図９の対物光学系の球面収差、非点収差、歪曲収差、倍率色収差を示すグラフである。
実施例５の対物光学系は、物体側から順に、第一群Ｇ１と、開口絞りＳと、第二群Ｇ２とで構成されている。
第一群Ｇ１は、物体側が平面で像側が凹面の平凹レンズＬ１１と、物体側に凹面を向けた正メニスカスレンズＬ１２を有して構成されており、全体で弱い正の屈折力を持っている。なお、Ｆ１、Ｆ２は赤外光又は励起光等所定の波長をカットするためのフィルタである。
第二群Ｇ２は、物体側に凹面を向けた正メニスカスレンズＬ２１と物体側に凹面を向けた負メニスカスレンズＬ２２との接合レンズと、物体側に凸面を向けた正メニスカスレンズＬ２３”を有して構成されており、全体で正の屈折力を持っている。なお、Ｅはエタロン、Ｆ３，Ｆ４は赤外光又は励起光等所定の波長をカットするためのフィルタ、ＣＧ１，ＣＧ２はカバーガラスである。また、エタロンＥは、２枚のフィルタで構成したものを便宜上１枚の光学要素として示してある。
【００３４】
次に、実施例５の対物光学系を構成する光学部材の数値データを示す。
数値データ５（実施例５）
物点距離：１５．４０ｍｍ
焦点距離：１．００ｍｍ
ＦＮＯ．：５．０７
２ω：１３１．０°
Ｓ1         ｒ1＝∞           ｄ1＝ 0.33       ｎd1＝ 1.88814   νd1＝40.78
Ｓ2         ｒ2＝ 1.0491      ｄ2＝ 1.188
Ｓ3         ｒ3＝∞           ｄ3＝ 0.55       ｎd3＝ 1.52498   νd3＝59.89
Ｓ4         ｒ4＝∞           ｄ4＝ 0.033
Ｓ5         ｒ5＝∞           ｄ5＝ 0.55       ｎd5＝ 1.52498   νd5＝59.89
Ｓ6         ｒ6＝∞           ｄ6＝ 0.186
Ｓ7         ｒ7＝-32.7113     ｄ7＝ 0.93       ｎd7＝ 1.51977   νd7＝52.43
Ｓ8         ｒ8＝-1.9245      ｄ8＝ 1.28
Ｓ9（絞り） ｒ9＝ 0.055
Ｓ10        ｒ10＝∞          ｄ10＝ 0.55      ｎd10＝ 1.52498  νd10＝59.89
Ｓ11        ｒ11＝∞          ｄ11＝ 0.033
Ｓ12        ｒ12＝∞          ｄ12＝ 0.55      ｎd12＝ 1.52498  νd12＝59.89
Ｓ13        ｒ13＝∞          ｄ13＝ 0.411
Ｓ14        ｒ14＝-5.4467     ｄ14＝ 1.494     ｎd14＝ 1.77621  νd14＝49.6
Ｓ15        ｒ15＝-1.6589     ｄ15＝ 0.33      ｎd15＝ 1.93429  νd15＝18.9
Ｓ16        ｒ16＝-3.6629     ｄ16＝ 0.11
Ｓ17        ｒ17＝ 3.5282     ｄ17＝ 0.687     ｎd17＝ 1.83932  νd17＝37.16
Ｓ18        ｒ18＝37.6018     ｄ18＝ 0.65
Ｓ19        ｒ19＝∞          ｄ19＝ 0.033
Ｓ20        ｒ20＝∞          ｄ20＝ 2.2       ｎd20＝ 1.55079  νd20＝67.84
Ｓ21        ｒ21＝∞          ｄ21＝ 0.55
Ｓ22        ｒ22＝∞          ｄ22＝ 0.033
Ｓ23        ｒ23＝∞          ｄ23＝ 0.77      ｎd23＝ 1.51825  νd23＝64.14
Ｓ24        ｒ24＝∞          ｄ24＝ 0.44      ｎd24＝ 1.52498  νd24＝59.89
Ｓ25        ｒ25＝∞
【００３５】
次に、上記各実施例における条件式パラメータ対応値を表１に示す。
表１
2008224842.tif 000003
【産業上の利用可能性】
【００３６】
本発明の対物光学系は、エタロン等の分光素子を用いた内視鏡の対物光学系を用いて観察することが望まれる分野、特に手術用顕微鏡などの医療分野に有用である。
【図面の簡単な説明】
【００３７】
【図１】本発明の実施例１にかかる対物光学系の光学構成を示す光軸に沿う断面図である。
【図２】図１の対物光学系の球面収差、非点収差、歪曲収差、倍率色収差を示すグラフである。
【図３】本発明の実施例２にかかる対物光学系の光学構成を示す光軸に沿う断面図である。
【図４】図３の対物光学系の球面収差、非点収差、歪曲収差、倍率色収差を示すグラフである。
【図５】本発明の実施例３にかかる対物光学系の光学構成を示す光軸に沿う断面図である。
【図６】図５の対物光学系の球面収差、非点収差、歪曲収差、倍率色収差を示すグラフである。
【図７】本発明の実施例４にかかる対物光学系の光学構成を示す光軸に沿う断面図である。
【図８】図７の対物光学系の球面収差、非点収差、歪曲収差、倍率色収差を示すグラフである。
【図９】本発明の実施例５にかかる対物光学系の光学構成を示す光軸に沿う断面図である。
【図１０】図９の対物光学系の球面収差、非点収差、歪曲収差、倍率色収差を示すグラフである。
【符号の説明】
【００３８】
ＣＧ１、ＣＧ２          カバーガラス
Ｅ            エタロン
Ｆ１、Ｆ２、Ｆ３、Ｆ４          （赤外光又は励起光をカットする）フィルタ
Ｇ１          第一群
Ｇ２          第二群
Ｌ１１        物体側が平面で像側が凹面の平凹レンズ
Ｌ１２        物体側に凹面を向けた正メニスカスレンズ
Ｌ１２’      物体側に凹面を向けた負メニスカスレンズ
Ｌ２１        物体側に凹面を向けた正メニスカスレンズ
Ｌ２１’      物体側に凸面を向けた負メニスカスレンズ
Ｌ２１”      両凸レンズ
Ｌ２２        物体側に凹面を向けた負メニスカスレンズ
Ｌ２２’      物体側に凸面を向けた正メニスカスレンズ
Ｌ２３        物体側が凸面で像側が平面の平凸レンズ
Ｌ２３’      両凸レンズ
Ｌ２３”      物体側に凸面を向けた正メニスカスレンズ
Ｓ            開口絞り
【図１】
2008224842.tif 000004
【図２】
2008224842.tif 000005
【図３】
2008224842.tif 000006
【図４】
2008224842.tif 000007
【図５】
2008224842.tif 000008
【図６】
2008224842.tif 000009
【図７】
2008224842.tif 000010
【図８】
2008224842.tif 000011
【図９】
2008224842.tif 000012
【図１０】
2008224842.tif 000013